(57)【要約】      （修正有）【課題】防振性、防音性、断熱性に優れた畳を提供する。【解決手段】畳床１と、この畳床１の上面に添設させた畳表２と、この畳表２と前記畳床１とを一体に保持する畳縁３とを具備する畳Ｔであって、前記畳床１が、プラスチック中空板４０により作られた芯材４と、この芯材４の両面側に配された上下の気泡シート５、６と、上気泡シート５の上面側に配された緩衝用の弾性シート７と、下気泡シート６の下面側に配された床上養生シート８とを備えた。【選択図】図１
2012202098.tif 000002
【特許請求の範囲】
【請求項１】
畳床と、この畳床の上面に添設させた畳表と、この畳表と前記畳床とを一体に保持する畳縁とを具備する畳であって、
前記畳床が、プラスチック中空板により作られた芯材と、この芯材の両面側に配された上下の気泡シートと、上気泡シートの上面側に配された緩衝用の弾性シートと、下気泡シートの下面側に配された床上養生シートとを備えたものであることを特徴とする畳。
【請求項２】
前記芯材と弾性シートとの間及び芯材と床上養生シートとの間にそれぞれ気泡シートが存在しない領域を形成し、それらの領域に前記気泡シートに過大な加重が作用することを防止するための補強層を備えている請求項１記載の畳。
【請求項３】
前記畳縁が、前記畳表と畳床とを分離可能に保持し得るものである請求項１または２記載の畳。
【請求項４】
前記上気泡シートの気泡が、前記下気泡シートの気泡よりも小さく設定されている請求項１、２または３記載の畳。
【請求項５】
前記プラスチック中空板が、多数のキャップ状の突起を有するキャップシートと、このキャップシートを挟むように底面側及び頂面側に配される平坦なバックシート及びライナーシートとを備えた３層状のものである請求項１、２、３または４記載の畳。
【請求項６】
前記気泡シートが、少なくとも多数の気泡形成用突起を有してなるキャップフィルムと、このキャップフィルムの突起開放側に添着したバックフィルムとを備えている請求項１、２、３、４または５記載の畳。
【発明の詳細な説明】
【技術分野】
【０００１】
本発明は、床上に配され使用される畳に関する。
【背景技術】
【０００２】
従来より、稲わらを材料として製造した畳床に畳表及び畳縁などを縫いつけた畳が知られているが、近時、これに代えて、畳床にプラスチック中空板等を用いた取り扱いの容易なものも考えられている（例えば、特許文献１を参照）。
【０００３】
近年、集合住宅や旅館等においては、階上の衝撃や音を階下に伝播することを防止または抑制するために、畳に防振性や防音性、さらに断熱性等が要求されることが少なくない。階上で普通に人が歩くと、足裏から３００〜４００Ｎの力が床面にかかり、ドシン、ズシ等の音とともに、小さい振動が生じる。一方、天井構造が脆弱な場合や、階上にいる人の歩き方如何によっては、さらに大きな音や振動になることがある。具体的には、旅館等で仲居が布団や食卓を運ぶ際には、荷物の重みにより通常よりも大きな力が足裏から床面にかかるという事例や、荷物を運ぶ際に後傾姿勢となるため、かかと部分に力が集中してしまうという事例がある。このように通常よりも大きな音や振動は、場合によっては受忍限度を越えてしまい、問題となってしまうこともある。
【０００４】
このような問題を解決するために、例えば、木造作りの住宅や旅館等の場合、２階の床板の下に根太や桟などを設けることによって床上の変位を小さくしたり、適当なクッション性や防音性を有する従来の稲わらを材料として製造した畳を敷設する方法も考えられる。また、同一世帯の場合には、階上の者に対して静かにするよう呼びかけるという方法も考えられる。
【０００５】
しかしながら、根太や桟などを設けるには、別途大規模な工事が必要で手間がかかるという難点があり、通常の畳はその重量等の点で取り扱いが難しい。さらに、集合住宅や旅館等では、階上と階下で注意できるような人間関係がない場合が多いという事情がある。
【先行技術文献】
【特許文献】
【０００６】
【特許文献１】特許第３２１３６９１号公報
【発明の概要】
【発明が解決しようとする課題】
【０００７】
本発明は、上述した問題に鑑みて、防振性、防音性、断熱性に優れた畳を提供することを目的としている。
【課題を解決するための手段】
【０００８】
本発明は、以上のような課題を解決するために、次のような構成を採用したものである。すなわち、本発明に係る畳は、畳床と、この畳床の上面に添設させた畳表と、この畳表と前記畳床とを一体に保持する畳縁とを具備するものであって、前記畳床が、プラスチック中空板により作られた芯材と、この芯材の両面側に配された上下の気泡シートと、上気泡シートの上面側に配された緩衝用の弾性シートと、下気泡シートの下面側に配された床上養生シートとを備えたものであることを特徴とする。
【０００９】
ここで、「畳表」とは、い草等によって作られた狭義の畳表の他、厚み寸法の小さい発泡ポリスチレンフォームや合成樹脂板等の表面に狭義の畳表を配したいわゆる薄畳をも含む概念である。
【００１０】
また、「プラスチック中空板」とは、「プラスチック気泡ボード」、「プラスチック段ボール」、及び「プラスチック折り畳みハニカムボード」、これら全てを包含する概念である。
【００１１】
「プラスチック気泡ボード」とは、例えば、ポリプロピレン等の樹脂をダイから溶融した状態で押し出したシートに、多数のキャップ状の突起を真空成形し、このキャップシートの底面と頂面にそれぞれ平坦なバックシート及びライナーシートを融着させて中空構造の板としてなる成形品をいう。また、「プラスチック段ボール」とは、プラスチックの溶融押し出しにより形成された２枚のシートと、それらを連結して平行に走る多数のリブとからなる成形品をいう。また、「プラスチック折り畳みハニカムボード」とは、プラスチックシートに所定ピッチで垂直方向の部分を与え、長手方向に順次折り重ねることによって形作られるハニカム構造を有する成形品をいう。
【００１２】
このようなものであれば、弾性シート及び芯材の上下に配された気泡シートの緩衝作用によって、従来のものよりも防振性、防音性及び断熱性に優れた畳を提供することができる。
【００１３】
気泡シートの破損を抑制または防止するためには、前記芯材と弾性シートとの間及び前記芯材と床上養生シートとの間にそれぞれ気泡シートが存在しない領域を形成し、それらの領域に前記気泡シートに過大な加重が作用することを防止するための補強層を備えているものが好ましい。
【００１４】
前記畳縁としては、前記畳表と畳床とを分離可能に保持し得るものが好ましい。
【００１５】
前記上気泡シートの気泡は、前記下気泡シートの気泡よりも小さく設定されているものが好ましい。
【００１６】
前記プラスチック中空板の具体的な一例としては、多数のキャップ状の突起を有するキャップシートと、このキャップシートを挟むように底面側及び頂面側に配される平坦なバックシート及びライナーシートとを備えた３層状のものが挙げられる。
【００１７】
前記気泡シートの具体的な一例としては、少なくとも多数の気泡形成用突起を有してなるキャップフィルムと、このキャップフィルムの突起開放側に添着したバックフィルムとを備えているものが挙げられる。
【発明の効果】
【００１８】
本発明は、以上のような構成であるから、防音性に加えて防振性、断熱性に優れた畳を提供することができる。
【図面の簡単な説明】
【００１９】
【図１】本発明の一実施形態にかかる畳を示す概略断面図。
【発明を実施するための形態】
【００２０】
以下、本発明の一実施形態について図面を参照して説明する。
【００２１】
この畳Ｔは、床Ｂ上に敷き詰めて配置されるものであって、通常の畳と同様の面積を有するものである。具体的には、この畳Ｔは、図１に示すように、畳床１と、この畳床１の上面に添設させた畳表２と、この畳表２と前記畳床１とを一体に保持する畳縁３とを具備するものである。なお、この実施形態では、床Ｂ上に配される畳床１の空気層を保護するために、前記床Ｂ上をサンダ掛けしている。本実施形態では、例えば鉄筋コンクリートのスラブ躯体の上に床Ｂが５ｃｍ程度浮かせて設けられる二重床構造としている。
【００２２】
畳床１は、プラスチック中空板４０により作られた芯材４と、この芯材４の両面側に配された上下の気泡シート５、６と、上気泡シート５の上面側に配された緩衝用の弾性シート７と、下気泡シート６の下面側に配された床上養生シート８とを備えたものである。畳床１の厚み寸法は、例えば４０ｍｍ程度に設定されている。
【００２３】
芯材４は、剛性を有した板状のもので、合成樹脂、例えばポリプロピレン製の中空板４０により作られている。この芯材４は、多数のキャップ状の突起を有するキャップシート４１と、このキャップシート４１を挟むように底面側及び頂面側に配される平坦なバックシート４２及びライナーシート４３とを備えた３層状のものである。換言すれば、この芯材４は、３層構造をなす気泡ボードと称される構造のもので、前記キャップシート４１と、このキャップシート４１の一面側に添設されるバックシート４２と、前記キャップシート４１の他面側に添設されるライナーシート４３とを備えてなる。この芯材４は、製造工程において適宜の寸法に裁断され、端部は開放されている。芯材４の厚み寸法は、例えば１０ｍｍ程度に設定されている。
【００２４】
前記芯材４の上面側に添設された上側の気泡シート５は、柔軟性を有した中空シート状のもので、合成樹脂、例えばポリエチレンにより作られている。この上側の気泡シート５は、多数の気泡形成用突起を有してなるキャップフィルム５１と、このキャップフィルム５１の突起開放側に添着したバックフィルム５２とを備えた２層状のものであり、前記バックフィルム５２側を前記プラスチック中空板４０のライナーシート４３に添設させている。換言すれば、この気泡シート５は、キャップフィルム５１及びバックフィルム５２からなる２層構造を有する従来品と同様であり、材料としては、常用のポリエチレンをはじめ、ポリプロピレンのようなポリオレフィン、エチレン−酢酸ビニル共重合体、ナイロンそのほか他種類のプラスチックが使用できる。キャップフィルム５１は、多数の円柱形状の突起を有している。バックフィルム５２は、凹凸を有しない平坦なものであり、前記キャップフィルム５１の突起開放側に添着されることにより、多数の密閉された気泡５０が形成される。この気泡５０は、形状が低い円柱形状であって、寸法は直径が１０〜５０ｍｍ程度、好ましくは１５〜２０ｍｍ程度、高さが５〜３０ｍｍ程度、好ましくは８〜１０ｍｍ程度である。また、この気泡５０の配置は、流れ方向には千鳥状になっているが、巾方向には直線上に並んでいる。
【００２５】
前記芯材４の下面側に添設された下側の気泡シート６は、柔軟性を有した中空シート状のもので、合成樹脂、例えばポリエチレンにより作られている。この下側の気泡シート６は、多数の気泡形成用突起を有してなるキャップフィルム６１と、このキャップフィルム６１の突起開放側に添着したバックフィルム６２とを備えた２層状のものであり、前記キャップフィルム６１側を前記プラスチック中空板４０のバックシート４２に添設させている。換言すれば、この気泡シート６は、キャップフィルム６１及びバックフィルム６２からなる２層構造を有する従来品と同様であり、材料としては、常用のポリエチレンをはじめ、ポリプロピレンのようなポリオレフィン、エチレン−酢酸ビニル共重合体、ナイロンそのほか他種類のプラスチックが使用できる。キャップフィルム６１は、多数の円柱形状の突起を有している。バックフィルム６２は、凹凸を有しない平坦なものであり、前記キャップフィルム６１の突起開放側に添着されることにより、多数の密閉された気泡６０が形成される。この気泡６０は、形状が低い円柱形状であって、寸法は直径が１０〜５０ｍｍ程度、好ましくは３０〜３５ｍｍ程度、高さが５〜３０ｍｍ程度、好ましくは１０〜１３ｍｍ程度である。すなわち、前記上側の気泡シート５の気泡５０の大きさは、前記下側の気泡シート６の気泡６０の大きさよりも小さく設定されている。また、この気泡６０の配置は、流れ方向には千鳥状になっているが、巾方向には直線上に並んでいる。
【００２６】
前記上側の気泡シート５の上面側、具体的にはキャップフィルム５１側に添設された弾性シート７は、上側の気泡シート５に集中加重が作用するのを緩和して保護するためのもので、柔軟性を有した中実シート状をなしている。この弾性シート７は、合成樹脂、例えばウレタンゴムにより作られており、厚みが５ｍｍ程度に設定されている。
【００２７】
前記下側の気泡シート６の下面側、具体的にはバックフィルム６２側に添設された床上養生シート８は、下側の気泡シート６を保護するためのものである。本実施形態においては、この床上養生シート８として、ポリエチレン層と、厚紙と、発泡ポリエチレン層とを積層したものを用いており、例えば、厚みを１．５ｍｍ程度に設定してある。
【００２８】
前記芯材４と弾性シート７との間及び芯材４と床上養生シート８との間には、それぞれ気泡シート５、６が存在しない領域１０を形成している。この領域１０は、集中荷重のかかりやすい部分に対応するように位置づけられるもので、例えば、畳Ｔの縁等に形成されている。その領域１０全体に、前記上下の気泡シート５、６に過大な加重が作用することを防止するための補強層９が隙間なく設けられている。
【００２９】
補強層９は、例えば芯材４と同じポリプロピレン製の中空板９０により作られており、具体的には、多数のキャップ状の突起を有するキャップシート９１と、このキャップシート９１を挟むように底面側及び頂面側に配される平坦なバックシート９２及びライナーシート９３とを備えた３層状のものである。補強層９は、保護すべき気泡シート５、６の厚み寸法に対応させたものであり、具体的には、上側の補強層９４は、前記上側の気泡シート５の厚み寸法と略同一の厚みを有するものであり、下側の補強層９５は、前記下側の気泡シート６の厚み寸法と略同一の厚み寸法を有するものである。すなわち、本実施形態における畳Ｔは、縁部において、他の部分よりも３倍の厚みを持った中空板９０を備えており、剛性を有している。
【００３０】
この実施形態における畳表２は、いわゆる薄畳と称される構成のもので、厚み寸法の小さい発泡ポリスチレンフォームや合成樹脂板等の表面に、い草等により作られた狭義の畳表を配したものである。この畳表２は、厚み寸法を１５ｍｍ〜１８ｍｍ程度に設定してある。
【００３１】
この畳表２と前記畳床１とを畳縁３によって結合させ、一体化している。
【００３２】
畳縁３は、前記畳表２と畳床１とを分離可能に保持し得るもので、布やナイロン等を主体として作られたものである。この畳縁３は、上縁部３１を畳表２の縁部上面に止着するとともに、下縁部３２を畳床１の縁部下面に図示しない面ファスナ等を介して着脱可能に取り付けている。
【００３３】
以上に述べたように、本実施形態に係る畳Ｔは、畳床１と、この畳床１の上面に添設させた畳表２と、この畳表２と前記畳床１とを一体に保持する畳縁３とを具備する畳Ｔであって、前記畳床１が、プラスチック中空板４０により作られた芯材４と、この芯材４の両面側に配された上下の気泡シート５、６と、上気泡シート５の上面側に配された緩衝用の弾性シート７と、下気泡シート６の下面側に配された床上養生シート８とを備えたものであるので、ウレタンゴム製の弾性シート７と芯材４の上下に配された気泡シート５、６の緩衝作用によって、従来のものよりも防振性及び防音性に優れた畳Ｔを提供することができる。すなわち、この畳Ｔは、木造家屋等の階上音が階下に伝播し、階下の天井の振動や壁などの側路伝播による振動が騒音に変化する前に、振動（または騒音）を吸収するような空気層を有する気泡シート５、６とウレタンゴム層を有する弾性シート７を主体として構成してある。そのため、この畳Ｔが敷設されている部屋よりも階下や斜め階下への振動（または騒音）の伝播を阻止または抑制することができる。
【００３４】
比較例として、畳床１を全てウレタンゴム層とした場合には、階下への振動（または騒音）伝播は少しはましになるものの、ウレタンゴムの強い反発力により畳の縁部に力が加わった際に、畳表の表面高さを一定に保つことが難しいという問題がある。一方、畳表の表面高さを一定に保つべく畳床１を全てスタイロフォーム等の発泡スチロールによって形成した場合には、弾力性がなくなってしまうという問題がある。しかしながら、本実施形態の畳Ｔによれば、気泡シート５、６の気泡５０、６０によりキャップフィルム５１、６１と気泡５０、６０中の空気の弾性により、荷重がかかった場合に、なめらかに反発する適度なばね作用を得ることができるとともに、畳表２の表面高さを略一定に保つことができる。
【００３５】
さらに、気泡シート５、６の空気層が２重に配されているので、断熱性にも優れている。すなわち、本実施形態で示したような鉄筋コンクリート造の床Ｂであると、コンクリート面が室内温度よりも低い場合が多く、このような上に畳を敷いても畳を介してそのコンクリート面の冷たさが伝達されてしまうため、床暖房を設置していることが多い。ところが、本実施形態の畳Ｔによれば、このようなコンクリート面の他、震災時などの冬場の体育館等、床の温度が低温である場合であっても、従来の畳に比べて気泡シート５、６による断熱性を有しているので、畳Ｔ上に居る人には冷たさが及びにくく、保温効果が得られる。
【００３６】
また、芯材４を中空板で形成しているので、芯材としてベニヤ板を使う場合に比べて、軽量化が図れ、さらに、気泡シート５、６の気泡５０、６０を破損しかねないとげ等の心配も必要なくなる。
【００３７】
また、前記芯材４と弾性シート７との間に上側の気泡シート５が存在しない領域１０を形成し、その領域１０に前記気泡シート５に過大な加重が作用することを防止するための上側の補強層９４を備えているとともに、前記芯材４と床上養生シート８との間に下側の気泡シート６が存在しない領域１０を形成し、その領域１０に前記気泡シート６に過大な加重が作用することを防止するための下側の補強層９５を備えているので、集中荷重によって気泡５０、６０の破損の生じやすい気泡シート５、６を保護することができる。したがって、気泡シート５、６を用いた場合であっても、比較的長期間の使用に耐えることができる。また、本実施形態においては、プラスチック中空板９０によって前記補強層９４、９５を形成しているので、これら補強層９４、９５が配されている部分においても、防音性を高めることができるとともに、とげ等によって気泡シート５、６の気泡５０、６０が破損してしまうおそれもない。
【００３８】
さらに、前記畳縁３は、前記畳表２と畳床１とを分離可能に保持し得るものであるので、簡単に畳床１を取り替えることができる。すなわち、気泡シート５、６は、常に上からの荷重を受けていることによる劣化や、突発的に集中荷重を受けることによる衝撃に起因して、気泡５０、６０部分が収縮したり、割れてしまったりすることがある。そして、この割れた部分が多くなると、畳Ｔの厚みを一定に保つことが難しくなり、畳Ｔ上にいる人に違和感を与えてしまうという不具合が生じる。そのため、これらの劣化や衝撃を受けやすい気泡シート５、６だけを新しいものに差し替えたいという要望がある。また、畳Ｔを設置する場所に応じて、異なる大きさや特性を有した気泡シート５、６や補強層９に差し替えたいという要望がある。本実施形態のようなものであれば、前記畳表２と畳床１とを分離可能にしているので、上述したような要望に応えることができるとともに、それを面ファスナという比較的簡単な構成で実現することができる。
【００３９】
本実施形態では、前記上気泡シート５の気泡５０が、前記下気泡シート６の気泡６０よりも小さく設定されている。そのため、上からの集中荷重がかかりやすい上側の気泡シート５の気泡５０を比較的つぶれにくくすることができる。また、上からの集中荷重を芯材４を介して分散して受ける下側の気泡シート６の気泡６０は、衝撃を大きく吸収できるようにしている。すなわち、下側の気泡シート６は、前記芯材４を介して面全体で荷重を受けることができるため、畳表２の上面側の変位量を小さくすることができる。
【００４０】
前記中空板４０として、多数のキャップ状の突起を有するキャップシート４１と、このキャップシート４１を挟むように底面側及び頂面側に配される平坦なバックシート４２及びライナーシート４３とを備えた３層状のものを用いているので、バックシート４２及びライナーシート４３の間でリブ状に立設したキャップシート４１の上下方向部分によって、上からの集中荷重に耐えることができる。さらに、バックシート４２及びライナーシート４３が平坦なものであるので、前記気泡シート５、６をこのバックシート４２またはライナーシート４３に平坦に添わせることが容易となる。
【００４１】
前記気泡シート５、６として、少なくとも多数の気泡形成用突起を有してなるキャップフィルム５１、６１と、このキャップフィルム５１、６１の突起開放側に添着したバックフィルム５２、６２とを備えた２層状のものを用いているので、上からの集中荷重に対応してキャップフィルム５１、６１の気泡５０、６０を比較的変形させやすい。
【００４２】
なお、本発明は以上に述べた実施形態に限られない。
【００４３】
前記実施形態では畳縁を畳床に面ファスナを介して着脱可能に取り付ける場合について説明したが、両面テープにより取り付けたり、従来のように縫製により取り付けたりする等種々変更が可能である。しかしながら、前記実施形態のような構成にしておけば、畳縁を面ファスナ部分で取り外すことにより、畳表と畳床とを容易に分離することができる。そのため、気泡シートが破損した場合等に容易に取り替えることができ、破損等による不具合に迅速に対応することができる。
【００４４】
また、シート状の素材は、上述した気泡シートに限られず、気泡を有しない合成樹脂シートや、合成樹脂製以外のシートも含まれる。気泡シートにあっても、２層構造のもの以外にも、前記キャップフィルムの突起先端側に添着したライナーフィルムをさらに有した３層構造のものであってもよい。しかしながら、前記実施形態のような２層構造のものを用いれば、畳の上方からの荷重に対してキャップフィルムが変形しやすいため、この柔軟性によって防音効果をより高めることができる。
【００４５】
また、プラスチック中空板は、バックシート側とライナーシート側を上下反転して用いてもよく、気泡シートは、キャップフィルム側とバックフィルム側を上下反転して用いてもよいのはもちろんである。
【００４６】
また、気泡シートの素材として、ＰＥＴ樹脂を用いてもよく、この場合には、本実施形態で示したポリエチレンを用いた場合よりもガスバリア性を良好にすることができる。
【００４７】
ガスバリア性を向上させるための他の方法としては、気泡シートの気泡部分に二酸化炭素を封入させておくことも考えられる。例えば、このような気泡シートを使用した畳を集合住宅や旅館等に配しておけば、火災が発生した際、気泡が破裂して、キャップフィルム及びバックフィルムの間に予め封入させておいた二酸化炭素が畳の外側へと放出されることとなる。そのため、この二酸化炭素によって自己消火作用が生じ、初期の段階での火災の広がりを抑制することができる。また、上下の気泡シートの気泡が破裂することによって、畳の上面の高さ位置が２枚の気泡シート分、下方に移動することとなる。そのため、この畳の上で就寝していた場合等には、畳の上面側がストンと下方へ落ちるその衝撃で、火災に気が付くことができるという効果も得られる。
【００４８】
上下の気泡シートの気泡の大きさは、前記上気泡シートの気泡が、前記下気泡シートの気泡よりも小さく設定されているものに限られず、前記上気泡シートの気泡が、前記下気泡シートの気泡よりも大きく設定されているものや、前記上気泡シートの気泡が、前記下気泡シートの気泡と略同一の大きさに設定されているものであってもよい。
【００４９】
また、プラスチック中空板の上下側に配される気泡シートは、それぞれ１枚ずつに限られず、複数枚重ね合わせた状態のものであってもよい。
【００５０】
床下の構造については、床下と根太と桟を主体として構成された木造のものや、鉄筋コンクリート造（ＲＣ造）または鉄骨鉄筋コンクリート造（ＳＲＣ造）のものであってもよい。鉄筋コンクリート造や鉄骨鉄筋コンクリート造の場合、コンクリート面に防湿シート等の薄いシートを敷設するものや、図１に概略図示したようにスラブ躯体の上に５ｃｍ程度浮かせて設けられる二重床構造にした上で、その間に防振ゴム、防振シート、防音シート等を配するもの等種々考えられる。
【００５１】
補強層としては、本実施形態で示した中空板の他に、ゴムアスファルトコンパウンドに不織布を芯材として埋め込み、これをシート状に形成したアスファルトシートを用いてもよい。
【００５２】
その他、本発明の趣旨を損ねない範囲で種々に変更してよい。
【符号の説明】
【００５３】
Ｔ…畳
１…畳床
２…畳表
３…畳縁
４…芯材
４０…プラスチック中空板
４１…キャップシート
４２…バックシート
４３…ライナーシート
５、６…気泡シート
５０、６０…気泡
５１、６１…キャップフィルム
５２、６２…バックフィルム
７…緩衝用の弾性シート
８…床上養生シート
９…補強層
【図１】
2012202098.tif 000003